(57)【要約】【課題】本発明が解決しようとする課題は、設置作業が容易な非常用照明装置を提供する。【解決手段】実施形態の照明装置１０は、器具本体１１と、光源部３２と、充電可能な電池部３７と、外部電源の異常時に電池部３７からの電力供給により光源部３２を点灯させる点灯回路を有する電源回路部３３と、一端側が電源回路部３３に接続され、他端側が器具本体１１の略中央に設けられた配線孔２０から導出される配線１３と、配線１３の他端側に取り付けられたコンセントプラグ３０を有する。配線１３が配線孔２０から導出される方向は光源部３２に対する電池部３７の配設位置と同じ方向である。【選択図】図７
2018101571.tif 000002
【特許請求の範囲】
【請求項１】
器具本体と；
前記器具本体に設けられた光源部と；
前記光源部の側部に設けられ、外部電源から供給された電力を充電可能な電池部と；
前記光源部と前記電池部との間に設けられ、前記外部電源の異常時に前記電池部からの電力供給により前記光源部を点灯させる電源回路部と；
一端側が前記電源回路部に接続され、他端側が前記器具本体の略中央に設けられた配線孔から、前記光源部に対する前記電池部の配設位置と同じ方向へ導出される配線と；
前記配線の他端側に取り付けられたコンセントプラグと；
を具備していることを特徴とする非常用照明装置。
【請求項２】
前記器具本体は、周辺部に一対の取付部を有し、
前記一対の取付部は、前記光源部に対する前記電池部の配設方向に対して交差し、かつ前記電源回路部に対し電池部が配設されている方向とは反対側の領域に設けられていることを特徴とする請求項１記載の非常用照明装置。
【請求項３】
前記器具本体を被取付面に取り付ける取付部品を有し、この取付部品により前記器具本体と前記被取付面との離間距離を前記配線の直径より大きくなるように構成したことを特徴とする請求項１又は請求項２記載の非常用照明装置。
【請求項４】
前記取付部品は、前記器具本体を取り付けるための第１の一対の取付孔と、前記被取付面に取り付けるための第２の一対の取付孔とを有し、前記第１の一対の取付孔と前記第２の一対の取付孔は同じピッチであり、かつ交差した位置に設けられていることを特徴とする請求項１ないし請求項３のいずれか一項記載の非常用照明装置。
【発明の詳細な説明】
【技術分野】
【０００１】
本発明の実施形態は、設置作業が容易な非常用照明装置に関する。
【背景技術】
【０００２】
従来、外部電源として商用交流電源の停電時にバッテリなどのバックアップ電源によって光源を点灯させる非常時点灯回路を備えた非常用照明装置がある。
【０００３】
このような照明装置は、被取付面である天井面に取り付ける際に、電気工事の施工により外部電源線との接続が必要となり、電気工事士等の資格を有する者に工事を依頼する必要があった。そのため、一般の消費者が自由に非常用照明装置を設置することや、設置場所を変更することが困難であるという問題が生じていた。
【先行技術文献】
【特許文献】
【０００４】
【特許文献１】特開２０１６−９１７４３号公報
【発明の概要】
【発明が解決しようとする課題】
【０００５】
本発明が解決しようとする課題は、設置作業が容易な非常用照明装置提供することである。
【課題を解決するための手段】
【０００６】
実施形態の照明装置は、器具本体と、光源部と、充電可能な電池部と、外部電源の異常時に電池部からの電力供給により光源部を点灯させる点灯回路を有する電源回路部と、一端側が電源回路部に接続され、他端側が器具本体の略中央に設けられた配線孔から導出される配線と、配線の他端側に取り付けられたコンセントプラグを有する。配線は光源部に対する電池部の配設位置と同じ方向へ導出される。
【発明の効果】
【０００７】
本発明によれば、設置作業が容易な非常用照明器具の提供が期待できる。
【図面の簡単な説明】
【０００８】
【図１】実施形態の非常用照明装置を示す正面図である。
【図２】同上非常用照明装置を示す側面図である。
【図３】同上非常用照明装置を示す下面図である。
【図４】同上非常用照明装置を示す上面図である。
【図５】同上非常用照明装置を分解して示す斜視図である。
【図６】同上非常用照明装置の内部構成を示す斜視図である。
【図７】同上非常用照明装置の内部構成を示す平面図である。
【図８】取付部品を示す斜視図である。
【図９】実施形態の非常用照明装置を示す上面図である。
【発明を実施するための形態】
【０００９】
以下、実施形態を図面を参照して説明する。
【００１０】
図１ないし図４に示すように、非常用照明装置１０は、停電時などの非常時に点灯する非常灯である。この照明装置１０は、被取付面としての天井面に取り付けられて設置される。具体的には、図１および図２に示すように、照明装置１０は天井面に対し下向きに取り付けられる。そのため、本実施形態では、照明装置１０の天井面側の面を上面とし、天井面側と反対側の面を下面として説明する。
【００１１】
図５ないし図７を併せて参照して示すように、照明装置１０は、器具本体１１と、この器具本体１１に配設される本体ユニット１２と、電池ユニット１４と、器具本体１１を覆う化粧枠であるカバー１５と、配線１３とを備えている。
【００１２】
主として図７に示すように、器具本体１１は、例えば、金属製で、円板状に形成されたベース板である。器具本体１１の略中央には配線１３を導出すための配線孔２０が円形状に形成されている。器具本体１１の周辺部には、後述する取付部品４０にねじ固定するための一対の取付部２１が形成されている。一方の取付部２１は、ねじが挿通可能な円形状の孔と、この円形状の孔に連通して配線孔２０の方向に延びる長穴を有している。他方の取付部２１は、ねじが挿通可能に形成され、かつ、配線孔２０方向に対して直交する方向に延びる２つの長穴である。
【００１３】
図５ないし図７に示すように、本体ユニット１２は、放熱器３１、光源部３２および電源回路部３３を有し、これらが一体的に組み合わされて構成されている。
【００１４】
放熱器３１は、例えば、アルミダイガスト製で、ねじ止めにより器具本体１１の中央に固定されているとともに、器具本体１１と熱的に接続される。つまり、放熱器３１は一端側が器具本体１１の中央にねじ止めにより固定され、他端側に光源部３２が設置され、光源部３２からの熱を放熱できるようになっている。
【００１５】
光源部３２は、ＬＥＤが実装された発光モジュールおよび発光モジュールから放射された光の配光を制御する透明なガラス製または樹脂製のレンズを有する。
【００１６】
電源回路部３３は、商用交流電源などの外部電源が接続され電力が入力される。電源回路部３３は、外部電源により電池ユニット１４（電池部３７）を充電する充電回路、外部電源の停電を検出する停電検出回路、停電検出時に電池ユニット１４（電池部３７）の電源で発光モジュールを点灯させる点灯回路、電池ユニット１４（電池部３７）の状態および発光モジュールの状態などを点検する点検回路などを有している。さらに、電源回路部３３は、下部に配設される点検スイッチ３５、モニタランプ、受信部および送信部を有している。
【００１７】
図７に示すように、電源回路部３３は、各取付部２１を結ぶ線上と交差する方向において放熱器３１の側部に配設されている。
【００１８】
電池ユニット１４は、電池部３７と、電池取付金具３８と、電池固定ばね３９とを備えている。電池部３７は、扁平な略直方体形状をなしていて、例えば、ニカド電池、ニッケル水素電池、あるいはリチウム電池などの充電可能な電池である。
【００１９】
電池取付金具３８は、器具本体１１に取り付けられ、電池部３７を囲うように金属板で折曲して形成されている。
【００２０】
電池固定ばね３９は、金属の棒状体を折り曲げて形成され、電池部３７を電池取付金具３８に着脱可能に保持するために電池取付金具３８に取り付けられている。
【００２１】
電池部３７は、電源回路部３３に接続され、電源回路部３３の充電回路から供給される電力によって充電されるとともに、停電などの非常時に電源回路部３３に電力を供給する。
【００２２】
配線１３は、絶縁被覆された電源線であり、一端側が電源回路部３３に対して電気的に接続されており、他端側は器具本体１１の配線孔２０から器具本体１１の外部へ導出される。図６に示すように、一端側が電源回路部３３に接続された配線１３は、取付部２１の外周を通り配線孔２０から導出される。この場合、配線１３が過度に折曲されないため配線１３にかかる応力が抑制される。また、これにより、配線１３の他端側は、配線孔２０から光源部３２に対する電池部３７の配設位置と同じ方向に指向されて導出される。配線１３が導出方向は、図７に示すように電池部３３と配線１３が同直線上でもよいし、取付部２１にかからず光源部３２に対する充電部３３の配設方向と配線１３の導出方向が鋭角となる領域方向でもよい。
【００２３】
この配線１３の他端側の先端には家庭用１００Ｖ雌型コンセントに接続可能な、雄型コンセントプラグ３０が接続されている。
【００２４】
また、器具本体１１の外周縁部には、カバー１５を取り付けるための一対のばね１７a、１７ｂが設けられている。
【００２５】
図５に代表して示すように、カバー１５は、例えば金属製で、上面が開口した有底円筒状に形成されている。カバー１５の底面部には、中央に光源部３２のレンズが挿通して露出される光源用開口５０が円形状に形成される。カバー１５の内側には、一対のばね受金具が設けられており、前記器具本体に設けられたばね１７a、１７ｂとばね受け金具により、カバー１５が器具本体１１に固定される。
【００２６】
また、照明装置１０を被取付面である、例えば天井面に設置する場合には、取付部品４０を介して照明装置１０が天井面にねじ止め固定される。
【００２７】
図８に示すように、取付部品４０は、例えば溶融亜鉛鍍金鋼板で側面が逆台形状に形成されており、器具本体１１が固定される一対の取付面４３と、被取付面に固定される取付面４４と、部品側面４５とを有している。部品側面４５の一端側に取付面４３が形成され、他端側に取付面４４が形成されていて、これら取付面４３および取付面４４は、双互に交差する方向に形成されている。取付部品４０は、器具本体１１と被取付面との間に配線１３が通るスペースＳ(図２参照)を確保できるように構成されており、具体的には、器具本体１１と被取付面との離間距離が配線１３の直径よりも大きくなうように構成されている。
【００２８】
図９に示すように、取付部品４０には、取付面４３に器具本体１１の取付部２１が取り付けられるための第１の一対の取付孔４１と、取付面４４が被取付面に取り付けられるための第２の一対の取付孔４２とが形成されている。第１の一対の取付孔４１の離間距離と第２の一対の取付孔４２の離間距離とは同じ離間距離であり、つまり、同じピッチで形成されており、互いに交差した位置、具体的には直交した位置に設けられている。
【００２９】
取付部品４０は、被取付面に第２の一対の取付孔４２がねじ止め固定され、第１の一対の取付孔４１に器具本体１１の取付部２１がねじ止め固定されることにより、照明装置１１は被取付面に固定される。
【００３０】
次に、本実施形態の照明装置１０の取付方法を説明する。
【００３１】
照明装置１０を設置する場合には、まず、図８に示す取付部品４０を被取付面に取り付けるために、取付部品４０の第２の一対の取付孔４２を介して取付部品４０を被取付面にねじ止め固定する。取り付けの際に、誤って第１の一対の取付孔４１と被取付面をねじ止め固定した場合、第１の一対の取付孔４１と第２の一対の取付孔４２が同じピッチであるため、被取付面に新たに余計なねじ穴をあける必要なく、取付部品４０を被取付面へ取付直しができる。
【００３２】
次に、図９に示すように、取付部品４０に器具本体１１を取り付けるために、器具本体１１の取付部２１と第１の一対の取付孔４１をねじ止め固定する。図７に示すように、器具本体に取り付けられた電池部３７は、器具本体１１の中央に配置された光源部３２の側部に配置されており、配線１３は、光源部３２に対する電池部３７の配置と同じ方向に導出されている。このため、器具本体１１の光源部３２に対する電池部３７が配置されていない側(図示上、左側)はスペースが広く設けられる。また、取付部２１は、光源部３２に対する電池部３７の配設方向に対して交差し、かつ電源回路部３３に対し電池部３７が配設されている方向とは反対側の領域に設けられているため、器具本体１１を取付部品４０にねじ止め固定する際に、搭載部品および配線１３が邪魔にならず作業がし易くなる。
【００３３】
図２に示すように、器具本体１１から導出された配線１３は、器具本体１１と被取付面との間を通り、配線１３の先端に取り付けられたコンセントプラグ３０は、天井や壁に設けられたコンセントに接続される。
【００３４】
この場合、取付部品４０は、器具本体１１と被取付面との離間距離が配線１３の直径より大きくなるように形成されているため、導出された配線１３が被取付面に当たり折れ曲がることを防ぐことができ、配線にかかる負担が軽減される。
【００３５】
次に、取付部品４０にねじ止め固定された器具本体１１には、器具本体１１に設けられたばね１７a、１７bとカバー１５の内側に設けられたばね受部金により、カバー１５が固定される。
【００３６】
以上のように、本実施形態によれば、照明装置１０は、被取付面に対し、取付部品４０を介してねじ止め固定するだけで容易に取り付けることができる。また、器具本体１１をねじ止めし固定する際には、搭載部品および配線１３がねじ止め作業の邪魔にならず作業性が向上できる。さらに、配線１３を被取付面の裏側に通す必要がないため、電気工事を必要とせずに照明装置１０を容易に取り付けることができ、電気工事士等の資格を有さない一般の消費者でも取り付けが可能な非常用照明装置を提供できる。
【００３７】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１０   照明装置
１１   器具本体
３２   光源部
３７   電池部
２０   配線孔
１３   配線
３０   コンセントプラグ
【図１】
2018101571.tif 000003
【図２】
2018101571.tif 000004
【図３】
2018101571.tif 000005
【図４】
2018101571.tif 000006
【図５】
2018101571.tif 000007
【図６】
2018101571.tif 000008
【図７】
2018101571.tif 000009
【図８】
2018101571.tif 000010
【図９】
2018101571.tif 000011